(57)【要約】【課題】  切断部に切刃を有して開状態に付勢された両挟体の開閉を、簡単な構成及び操作で閉状態にロックすることができる手動工具を提供する。【解決手段】  切断部６、７と把持部８、９とをそれぞれ有して支軸１０周りに開閉可能な一対の挟体４、５の切断部６、７に一対の切刃４２、４３をそれぞれ設け、両挟体４、５を開状態にする方向に付勢するバネ１１を有する手動工具１００において、一方の挟体４の把持部８に回動可能に軸支されたロック部材１を設け、他方の挟体５の切断部７の外側に把持部９側に面する係合面３を形成した係合部２を設け、ロック部材１を両挟体４、５が閉状態で係合面３に係脱可能に形成した。【選択図】  図１
2006247074.tif 000002
【特許請求の範囲】
【請求項１】
切断部と把持部とを支軸の両側にそれぞれ有して支軸周りに開閉可能に結合した一対の挟体の切断部に一対の切刃をそれぞれ設け、両挟体を開状態にする方向に付勢する付勢手段を有する手動工具において、
一方の挟体の把持部に回動可能に軸支されたロック部材を設け、他方の挟体の切断部の外側に把持部側に面する係合面を形成した係合部を設け、ロック部材を両挟体が閉状態で係合面に係脱可能に形成したことを特徴とする手動工具。
【請求項２】
ロック部材は、一方の挟体の把持部を把持する指で操作可能に設けられる請求項１記載の手動工具。
【発明の詳細な説明】
【技術分野】
【０００１】
本発明は、切断部と把持部とを支軸の両側にそれぞれ有して支軸周りに開閉可能に結合した一対の挟体の切断部に一対の切刃をそれぞれ設け、両挟体を開状態にする方向に付勢する付勢体を有する手動工具に関する。
【背景技術】
【０００２】
切断部と把持部とを支軸の両側にそれぞれ有して支軸周りに開閉可能に結合した一対の挟体を備え、切断部に一対の切刃をそれぞれ設けたニッパ等の手動工具において、両挟体を開状態にする方向に付勢するバネを設ける構成が知られている。
【０００３】
このようにバネにより両挟体を開状態に付勢しておくと、切刃が開いた状態で切断作業等を直ちに開始できるので作業能率が高まる。
【発明の開示】
【発明が解決しようとする課題】
【０００４】
しかしながら前述の従来技術の構成では、常に切刃が開いた状態にあるので、手動工具の持ち運び等のために作業者のポケット等に入れると危険であるという問題がある。
【０００５】
この問題を回避するために、両挟体を閉状態にして両把持部に輪を掛けることにより、バネの付勢力に抗して両挟体の閉状態を維持する構成が考えられるが、構成及び操作が煩雑になるという問題がある。
【０００６】
本発明の目的は、上記従来例の問題点を解決し得る手動工具を提供することにある。
【課題を解決するための手段】
【０００７】
本発明に係る手動工具は、切断部と把持部とを支軸の両側にそれぞれ有して支軸周りに開閉可能に結合した一対の挟体の切断部に一対の切刃をそれぞれ設け、両挟体を開状態にする方向に付勢する付勢手段を有する手動工具において、一方の挟体の把持部に回動可能に軸支されたロック部材を設け、他方の挟体の切断部の外側に把持部側に面する係合面を形成した係合部を設け、ロック部材を両挟体が閉状態で係合面に係脱可能に形成したことを特徴とする。
【０００８】
この構成によれば、一方の挟体の把持部に回動可能に軸支されたロック部材が設けられ、他方の挟体の切断部の外側に把持部側に面する係合面を形成した係合部が設けられ、ロック部材は両挟体が閉状態で係合面に係脱可能に形成される。このため、両挟体を閉状態にして、一方の挟体の把持部に軸支されたロック部材を回動させて、他方の挟体の切断部の外側に把持部側に面して形成された係合部の係合面に係合させると、両挟体を付勢手段の付勢力に抗して閉状態でロックすることができる。また、係合部の係合面に係合したロック部材を逆方向に回動させて、ロック部材を係合部の係合面から離脱させると、付勢手段の付勢力により両挟体の閉状態を解除して開状態にすることができる。このように簡単な構成及び操作で、切断部に一対の切刃を有して開状態に付勢された両挟体を閉状態にロックすることができる。
【０００９】
ロック部材を、一方の挟体の把持部を把持する指で操作可能に設けると、片手の指の操作で、より簡単に両挟体を閉状態にロックすることができる。
【発明の効果】
【００１０】
本発明によれば、切断部に一対の切刃を有して開状態に付勢された一対の挟体を、簡単な構成及び操作で閉状態にロックすることができる手動工具を提供することができる。
【発明を実施するための最良の形態】
【００１１】
（実施の形態１）
図１は実施の形態１に係る手動工具１００の閉状態の正面図であり、図２（ａ）は開状態における手動工具１００の正面図であり、図２（ｂ）はその一部上面図である。図３は開状態の手動工具１００の要部斜視図であり、図４はその閉状態における要部斜視図である。図５（ａ）は実施の形態１に係る手動工具１００が用いられる光ケーブル１６の斜視図であり、図５（ｂ）は分離された光ケーブル１６の斜視図である。
【００１２】
手動工具１００は、支軸１０周りに開閉可能なペンチ状に構成した一対の挟体４及び５を備える。挟体４及び５は、先端側に切断部６及び７をそれぞれ有して後端側に把持部８及び９をそれぞれ有する。
【００１３】
手動工具１００が用いられる光ケーブル１６は図５（ａ）及び図５（ｂ）に示すように、複数本の光ファイバー線２０と光ファイバー線２０の両側に設けた一対の張力保護線１８及び１９と張力保護線１８の光ファイバー線２０と反対側に設けた支持線１７とが互いに平行な状態で外被で被覆されて構成される。円柱状の支持線部分２４と略角柱状の張力保護線部分２５とを分離するための分離溝２２が外被に形成される。また、複数本の光ファイバー線２０を露出させて略角柱状の両張力保護線部分２５及び２６を分離するための露出分離溝２３が光ファイバー線２０の上下側の外被に形成される。
【００１４】
挟体５の切断部７の先端には、挿通部５１が切断部７と一体に設けられる。挿通部５１は、円錐台形状を有し、テーパ状外周側面５６が形成される。挿通部５１には、分離溝２２及び露出分離溝２３に沿って分離した張力保護線部分２５又は２６（図５（ｂ））を挿通してガイドする挿通穴５５が、切断部６側に形成される。テーパ状外周側面５６は、露出した複数本の光ファイバー線２０を逃がす。
【００１５】
挟体５の切断部７は、ストッパー５２を有する。ストッパー５２は、挿通部５１から約１０ｍｍの間隔を空けて支軸１０側に配置されて、挿通穴５５に挿通された張力保護線部分２５又は２６の長手方向の位置を規制する。
【００１６】
切断部６及び７には、一対の切刃４２及び４３が設けられる。一対の切刃４２及び４３は、張力保護線１８又は１９の直径に相当する隙間を空けて対向するように挿通穴５５の出口側で位置決めされて、挿通穴５５に挿通されてストッパー５２で位置決めされた張力保護線部分２５又は２６の外被を輪切りにする。
【００１７】
ストッパー５２は、切刃位置決め面１５を有する。切刃位置決め面１５は、切断部６のストッパー５２側に形成された当接面３０に当接して両切刃４２及び４３を張力保護線部分２５及び２６の直径に相当する隙間を空けて対向するように位置決めする。
【００１８】
各把持部８及び９の後端側には、樹脂製の把持カバー２７及び２８がそれぞれ設けられている。一対の切刃４２及び４３を開状態にする方向に付勢する圧縮コイルバネ１１が支軸１０の把持部８及び９側に取り付けられている。
【００１９】
把持部８は、把持カバー２７の支軸１０側に側部５７を有する。側部５７には、板状のロック部材１が支軸４７の周りに回動可能にスプリングワッシャ５０と共に軸支されている。切断部７の外側の挟体４と交差する位置には、把持部８及び９側に面する係合面３を形成した係合部２が設けられている。係合面３は、支軸１０周りの回動方向に略垂直に形成されている。ロック部材１は、この係合面３から見て係合面３の回動方向に配置されており、支軸４７から係合部２側に延設されたロック操作部４４と、ロック操作部４４から把持部８側に略９０度折り曲げたロック部材係合部４６と、支軸４７からロック操作部４４と略反対側に延設されたロック解除操作部４５とを有している。ロック部材係合部４６は、両挟体４及び５が閉状態で係合面３に沿って支軸４７周りに回動して係合面３に係脱可能に形成したロック部材係合面４９を有している。
【００２０】
図５（ａ）に示す分離前の光ケーブル１６をその幅方向の位置を規制して載置する折り曲げ板形状のガイド部１２が、切断部６の側部５８に螺着される。ガイド部１２は、側部５８に螺着される取付部３１と、取付部３１から約９０度折り曲げられて光ケーブル１６を載置する載置部３２と、載置部３２から約９０度折り曲げられて光ケーブル１６の幅方向の位置を規制する位置規制部３３とを有する。切断部７の側部５９にはケーブル分離用部材１３が螺着される。このケーブル分離用部材１３には、ガイド部１２の載置部３２に対して接離可能に支持され、かつ載置部３２上の光ケーブル１６の分離溝２２に喰い込む切り裂き刃１４が螺着される。
【００２１】
このように構成された手動工具１００の開閉ロック操作を説明する。まず、図２（ａ）及び図３に示すように圧縮コイルバネ１１の付勢力により開状態になっている手動工具１００の把持カバー２７及び２８を把持し、圧縮コイルバネ１１の付勢力に抗して両挟体４及び５を閉状態にする。次に、図１に破線で示したロック部材１のロック操作部４４の端面を親指で押すことにより、ロック部材１を図１において反時計周りに回動させてロック部材係合面４９を係合面３に対向させ、把持カバー２７及び２８の把持力を緩めると、係合面３は支軸１０周りの回動方向にロック部材係合面４９と圧接する。ロック部材係合面４９が形成されたロック部材１は係合面３の支軸１０周りの回動方向に軸支されているので、このロック部材１は係合面３の回動を阻止する。このため、挟体４及び５は圧縮コイルバネ１１の付勢力に抗して閉状態にロックされる。
【００２２】
手動工具１００をアンロックして開状態にするときは、ロックされて閉状態の手動工具１００の把持カバー２７及び２８の把持力を強めて係合面３のロック部材係合面４９への圧接状態を解除する。そしてロック部材１のロック解除操作部４５の端面を親指で押下してロック部材１を時計回りに回動させると、ロック部材係合面４９は支軸１０から離れる方向に回動して係合面３から離脱する。次にロック解除操作部４５の押下を終了すると、ロック部材１は係合面３から離脱した位置で静止する。そして把持カバー２７及び２８への把持力を緩めると、圧縮コイルバネ１１の付勢力により両挟体４及び５は図２（ａ）および図３に示すように開状態になる。
【００２３】
次に光ケーブル１６に対する手動工具１００の作業操作を説明する。図６は閉状態の手動工具１００の要部一部断面図であり、図７はその側面断面図である。まず、手動工具１００を開状態にして、図５（ａ）に示す分離前の光ケーブル１６を幅方向の位置をガイド部１２の位置規制部３３で規制して載置部３２に載置する。そして把持カバー２７及び２８を握って手動工具１００を閉状態にすると、図６及び図７に示すように、切り裂き刃１４が載置部３２上の光ケーブル１６の分離溝２２に喰い込む。この状態で光ケーブル１６を矢印Ａ（図６）の方向に引っ張ると、切り裂き刃１４により分離溝２２が引き裂かれて支持線部分２４を分離することができる。
【００２４】
図８（ａ）は実施の形態１の手動工具１００の動作を説明するための模式側面図であり、図８（ｂ）はその模式正面図である。図９（ａ）は手動工具１００の動作を説明するための模式側面図であり、図９（ｂ）はその模式正面図である。図１０は、手動工具１００の動作を説明するための模式正面図である。
【００２５】
支持線部分２４を分離した後、露出分離溝２３に沿って所定の工具（図示せず）で外被を切り裂くことにより、複数本の光ファイバー線２０を露出させて両張力保護線部分２５及び２６を分離する。手動工具１００を開状態にして、分離した張力保護線部分２５を挿通部５１の挿通穴５５に挿通して複数本の光ファイバー線２０及び張力保護線部分２６を外周側面５６に沿って逃がし、張力保護線部分２５の先端をストッパー５２に当接させて張力保護線部分２５の長手方向の位置を規制する。
【００２６】
次に把持カバー２７及び２８を握って両挟体４及び５を閉じると、ストッパー５２の切刃位置決め面１５は挟体４の切断部６の当接面３０に当接して、両切刃４２及び４３を張力保護線１８の直径に相当する隙間Ｄを空けて対向するように位置決めする。そして、切刃４２及び４３は張力保護線部分２５の外被を輪切りにする。
【００２７】
そして、手動工具１００を捻りながら光ケーブル１６を挿通部５１から引き抜くと、張力保護線部分２５の外被が先端から１０ｍｍ程度剥ぎ取られて張力保護線１８が露出する。剥ぎ取られた外被屑３４は切刃４２及び４３とストッパー５２との間に残り、両挟体４及び５を開状態にして廃棄する。
【００２８】
図１１は実施の形態１に係る変形例の手動工具１００Ａの閉状態の正面図であり、図１２（ａ）は開状態の手動工具１００Ａの正面図であり、図１２（ｂ）はその一部上面図である。図１３は開状態の手動工具１００Ａの要部斜視図であり、図１４は閉状態の手動工具１００Ａの要部斜視図である。前述した構成要素と同一の構成要素には同一の参照符号を付し、その詳細な説明は省略する。
【００２９】
前述した手動工具１００と異なる点は、ロック解除操作部を設けないロック部材１Ａを備える点である。ロック部材１Ａは、支軸４７から係合部２側に延設されたロック操作部４８と、ロック操作部４８から把持部８側に略９０度折り曲げたロック部材係合部４６とを有する。ロック部材係合部４６は、両挟体４及び５が閉状態で係合面３に沿って支軸４７周りに回動して係合面３に係脱可能に形成したロック部材係合面４９を有している。
【００３０】
このように構成された手動工具１００Ａの開閉ロック操作を説明する。まず、手動工具１００Ａの把持カバー２７及び２８を把持し、圧縮コイルバネ１１の付勢力に抗して両挟体４及び５を閉状態にする。次に図１１に示すように、ロック部材１Ａのロック操作部４８の端面を親指で押すことにより反時計周りに回動させてロック部材係合面４９を係合面３に対向させ、把持カバー２７及び２８の把持力を緩めると、係合面３は支軸１０周りの回動方向にロック部材係合面４９を圧接する。ロック部材係合面４９が形成されたロック部材１Ａは係合面３の支軸１０周りの回動方向に軸支されているので、このロック部材１Ａは係合面３の回動を阻止する。このため、挟体４及び５は圧縮コイルバネ１１の付勢力に抗して閉状態にロックされる。
【００３１】
アンロックして開状態にするときは、把持カバー２７及び２８の把持力を強めて係合面３のロック部材係合面４９への圧接状態を解除する。そしてロック操作部４８の支軸１０側の端面をもう一方の手の指で支軸１０から離れる方向に押してロック部材１Ａを時計回りに回動させると、ロック部材係合面４９は支軸１０から離れる方向に回動して係合面３から離脱する。次にロック部材１Ａを回動させる操作を終了すると、ロック部材１Ａは係合面３から離脱した位置で静止する。そして把持カバー２７及び２８への把持力を緩めると、圧縮コイルバネ１１の付勢力により両挟体４及び５は開状態になる。
【００３２】
（実施の形態２）
図１５は実施の形態２に係るニッパ１００Ｂの開状態の正面図であり、図１６は閉状態のニッパ１００Ｂの要部斜視図である。図１７は、ニッパ１００Ｂの動作を説明するための要部正面図である。ニッパ１００Ｂは、支軸１０Ｂ周りに開閉可能に結合した一対の挟体４Ｂ及び５Ｂを備える。挟体４Ｂは、切刃４２Ｂを形成した切断部６Ｂを先端側に有して把持部８Ｂを後端側に有する。挟体５Ｂは、切刃４３Ｂを形成した切断部７Ｂを先端側に有して把持部９Ｂを後端側に有する。
【００３３】
各把持部８Ｂ及び９Ｂには、ニッパ１００Ｂを把持するための樹脂製の把持カバー２７及び２８がそれぞれ設けられている。一対の切刃４２Ｂ及び４３Ｂを開状態にする方向に付勢する圧縮コイルバネ１１Ｂが支軸１０Ｂの把持部８Ｂ及び９Ｂ側に取り付けられている。
【００３４】
把持部８Ｂの支軸１０Ｂ側の側部５７Ｂには、ロック部材１Ｂが支軸４７Ｂの周りに回動可能にスプリングワッシャと共に軸支されている。切断部７Ｂの外側の挟体４Ｂと交差する位置には、把持部８Ｂ側に面する係合面３Ｂを形成した係合部２Ｂが設けられている。この係合面３Ｂは、支軸１０Ｂ周りの回動方向に略垂直に形成されている。ロック部材１Ｂは、この係合面３Ｂから見て係合面３Ｂの回動方向に配置されており、ロック操作部４８Ｂと、ロック操作部４８Ｂから略９０度折り曲げて、両挟体４Ｂ及び５Ｂが閉状態で係合部２Ｂの係合面３Ｂに係脱可能に形成したロック部材係合部４６Ｂとを有している。ロック部材係合部４６Ｂは、両挟体４Ｂ及び５Ｂが閉状態で係合面３Ｂに沿って支軸４７Ｂ周りに回動して係合面３Ｂに係脱可能に形成したロック部材係合面４９Ｂを有している。
【００３５】
このように構成されたニッパ１００Ｂの開閉ロック操作を説明する。まず、図１５に示すように圧縮コイルバネ１１Ｂの付勢力により開状態になっているニッパ１００Ｂの把持カバー２７及び２８を把持し、圧縮コイルバネ１１Ｂの付勢力に抗して両挟体４Ｂ及び５Ｂを閉状態にする。次に図１６及び図１７に示すように、ロック部材１Ｂのロック操作部４８Ｂの端面を親指で押すことにより、ロック部材１Ｂを図１５において反時計周りに回動させてロック部材係合面４９Ｂを係合面３Ｂに対向させ、把持カバー２７及び２８の把持力を緩めると、係合面３Ｂは支軸１０Ｂ周りの回動方向にロック部材係合面４９Ｂを圧接する。ロック部材係合面４９Ｂが形成されたロック部材１Ｂは係合面３Ｂの支軸１０Ｂ周りの回動方向に軸支されているので、このロック部材１Ｂは係合面３Ｂの回動を阻止する。このため、挟体４Ｂ及び５Ｂは圧縮コイルバネ１１Ｂの付勢力に抗して閉状態にロックされる。
【００３６】
ニッパ１００Ｂをアンロックして開状態にするときは、閉状態のニッパ１００Ｂの把持カバー２７及び２８の把持力を強めて係合面３Ｂのロック部材係合面４９Ｂへの圧接状態を解除する。そしてロック操作部４８Ｂの支軸１０Ｂ側の端面を、もう一方の手の指で支軸１０Ｂから離れる方向に押してロック部材１Ｂを時計回りに回動させると、ロック部材係合面４９Ｂは支軸１０Ｂから離れる方向に回動して係合面３Ｂから離脱する。次にロック部材１Ｂの回動操作を終了すると、ロック部材１Ｂは係合面３Ｂから離脱した位置で静止する。そして把持カバー２７及び２８への把持力を緩めると、圧縮コイルバネ１１Ｂの付勢力により両挟体４Ｂ及び５Ｂは図１５に示すように開状態になる。
【産業上の利用可能性】
【００３７】
本発明は、切断部と把持部とを支軸の両側にそれぞれ有して支軸周りに開閉可能に結合した一対の挟体の切断部に一対の切刃をそれぞれ設け、両挟体を開状態にする方向に付勢する付勢体を有する手動工具に適用することができる。
【図面の簡単な説明】
【００３８】
【図１】実施の形態１に係る閉状態の手動工具の正面図である。
【図２】（ａ）は実施の形態１に係る開状態の手動工具の正面図であり、（ｂ）はその一部上面図である。
【図３】実施の形態１に係る開状態の手動工具の要部斜視図である。
【図４】実施の形態１に係る閉状態の手動工具の要部斜視図である。
【図５】（ａ）は実施の形態１に係る手動工具が用いられる光ケーブルの斜視図であり、（ｂ）は実施の形態１に係る分離された光ケーブルの斜視図である。
【図６】実施の形態１に係る閉状態の手動工具の要部一部断面図である。
【図７】実施の形態１に係る閉状態の手動工具の側面断面図である。
【図８】（ａ）は実施の形態１に係る手動工具の動作を説明するための模式側面図であり、（ｂ）はその模式正面図である。
【図９】（ａ）は実施の形態１に係る手動工具の動作を説明するための模式側面図であり、（ｂ）はその模式正面図である。
【図１０】実施の形態１に係る手動工具の動作を説明するための模式正面図である。
【図１１】実施の形態１に係る変形例の閉状態の手動工具の正面図である。
【図１２】（ａ）は実施の形態１に係る変形例の開状態の手動工具の正面図であり、（ｂ）はその一部上面図である。
【図１３】実施の形態１に係る変形例の開状態の手動工具の要部斜視図である。
【図１４】実施の形態１に係る変形例の閉状態の手動工具の要部斜視図である。
【図１５】実施の形態２に係る開状態のニッパの正面図である。
【図１６】実施の形態２に係る閉状態のニッパの要部斜視図である。
【図１７】実施の形態２に係るニッパの動作を説明するための要部正面図である。
【符号の説明】
【００３９】
１  ロック部材
２  係合部
３  係合面
４、５挟体
６、７切断部
８、９把持部
１０  支軸
１１  圧縮コイルバネ
１００  手動工具
【図１】
2006247074.tif 000003
【図２】
2006247074.tif 000004
【図３】
2006247074.tif 000005
【図４】
2006247074.tif 000006
【図５】
2006247074.tif 000007
【図６】
2006247074.tif 000008
【図７】
2006247074.tif 000009
【図８】
2006247074.tif 000010
【図９】
2006247074.tif 000011
【図１０】
2006247074.tif 000012
【図１１】
2006247074.tif 000013
【図１２】
2006247074.tif 000014
【図１３】
2006247074.tif 000015
【図１４】
2006247074.tif 000016
【図１５】
2006247074.tif 000017
【図１６】
2006247074.tif 000018
【図１７】
2006247074.tif 000019